【手続補正書】
【提出日】平成30年11月19日(2018.11.19)
【手続補正１】
【補正対象書類名】特許請求の範囲
【補正対象項目名】全文
【補正方法】変更
【補正の内容】
【特許請求の範囲】
【請求項１】
ワイヤレスネットワークにおける通信の方法であって、前記方法は、
アクセスポイントから、第１のフォーマットまたは前記第１のフォーマットとは異なる第２のフォーマットに従って、第１のメッセージの第１の部分を送信することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記アクセスポイントから、前記第２のフォーマットに従って、前記第１のメッセージの第２の部分を送信することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
ここにおいて、前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
を備える、方法。
【請求項２】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項１に記載の方法。
【請求項３】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項１に記載の方法。
【請求項４】
前記チャネルフィードバック情報を決定するために使用可能であるヌルデータパケットを送信すること、
をさらに備える、請求項１に記載の方法。
【請求項５】
前記アクセスポイントにおいて、前記ヌルデータパケットを送信した後に、ショートフレーム間スペース（ＳＩＦＳ）内で前記チャネルフィードバック情報を受信することをさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項４に記載の方法。
【請求項６】
トリガフレームの一部として、１つまたは複数のワイヤレス通信デバイスの各々についてのトーンまたはサブバンド割振り情報を送信すること、
をさらに備える、請求項４に記載の方法。
【請求項７】
前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、請求項６に記載の方法。
【請求項８】
前記第１のフォーマットに適合するワイヤレス通信デバイスの前記第１のセットのためのチャネルフィードバック推定のための第１のパラメータは、前記第２のフォーマットに適合するワイヤレス通信デバイスの前記第２のセットのためのチャネルフィードバック推定のための第２のパラメータの後に送信される、請求項１に記載の方法。
【請求項９】
ワイヤレスネットワークにおける通信のための装置であって、前記装置は、
第１のフォーマットまたは前記第１のフォーマットとは異なる第２のフォーマットに従って、第１のメッセージの第１の部分を生成することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
を行うように構成されたプロセッサと、
前記第１のメッセージを送信するように構成された送信機と、
を備え、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
装置。
【請求項１０】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項９に記載の装置。
【請求項１１】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項９に記載の装置。
【請求項１２】
前記送信機は、前記チャネルフィードバック情報を決定するために使用可能であるヌルデータパケットを送信するようにさらに構成された、請求項９に記載の装置。
【請求項１３】
前記ヌルデータパケットを送信した後に、ショートフレーム間スペース（ＳＩＦＳ）内で前記チャネルフィードバック情報を受信するように構成された受信機をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項１２に記載の装置。
【請求項１４】
前記送信機は、トリガフレームの一部として、１つまたは複数のワイヤレス通信デバイスの各々についてのトーンまたはサブバンド割振り情報を送信するようにさらに構成された、請求項１２に記載の装置。
【請求項１５】
前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、請求項１４に記載の装置。
【請求項１６】
前記第１のフォーマットに適合するワイヤレス通信デバイスの前記第１のセットのためのチャネル状態情報推定のための第１のパラメータは、前記第２のフォーマットに適合するワイヤレス通信デバイスの前記第２のセットのためのチャネル状態情報推定のための第２のパラメータの後に送信される、請求項９に記載の装置。
【請求項１７】
ワイヤレスネットワークにおける通信のための装置であって、前記装置は、
第１のフォーマットまたは前記第１のフォーマットとは異なる第２のフォーマットに従って、第１のメッセージの第１の部分を生成するための手段と、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成するための手段と、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
前記第１のメッセージを送信するための手段と、
を備え、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
装置。
【請求項１８】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項１７に記載の装置。
【請求項１９】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項１７に記載の装置。
【請求項２０】
前記チャネルフィードバック情報を決定するために使用可能であるヌルデータパケットを送信するための手段、
をさらに備える、請求項１７に記載の装置。
【請求項２１】
前記ヌルデータパケットを送信した後に、ショートフレーム間スペース（ＳＩＦＳ）内で前記チャネルフィードバック情報を受信するための手段をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項２０に記載の装置。
【請求項２２】
命令を記憶した非一時的コンピュータ可読媒体であって、前記命令は、
実行されたとき、装置のプロセッサに、
第１のフォーマットまたは前記第１のフォーマットとは異なる第２のフォーマットに従って、第１のメッセージの第１の部分を生成することと、前記第１のメッセージの前記第１の部分は、前記第１のフォーマットに従ってメッセージを処理することが可能なワイヤレス通信デバイスの第１のセットを対象とするか、または前記第２のフォーマットに従ってメッセージを処理することが可能なワイヤレス通信デバイスの第２のセットを対象とする第１の情報を含んでおり、前記第１のメッセージは、ワイヤレス通信デバイスの前記対象の第１のまたは第２のセットからワイヤレス通信媒体のチャネルフィードバック情報が要求されることを告知し、
前記第２のフォーマットに従って、前記第１のメッセージの第２の部分を生成することと、前記第１のメッセージの前記第２の部分は、ワイヤレス通信デバイスの前記第２のセットを対象とする第２の情報を含んでおり、前記第１のメッセージの前記第２の部分は、ワイヤレス通信デバイスの前記第２のセットから前記チャネルフィードバック情報が要求されるトーンまたは空間ストリームの数のインジケーションを備え、
前記第１のメッセージを送信することと、
を行わせ、
前記第１のフォーマットは、高効率（ＨＥ）フォーマットを備え、前記第２のフォーマットは超高スループット（ＶＨＴ）フォーマットを備え、
ワイヤレス通信デバイスの前記第１のセットのための識別子は、ワイヤレス通信デバイスの前記第２のセットが前記識別子は無効であると決定するように、改変される、
非一時的コンピュータ可読媒体。
【請求項２３】
前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、請求項２２に記載の非一時的コンピュータ可読媒体。
【請求項２４】
前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、請求項２２に記載の非一時的コンピュータ可読媒体。
【請求項２５】
前記命令が、実行されたとき、前記装置の前記プロセッサに、
前記チャネルフィードバック情報を決定するために使用可能であるヌルデータパケットを送信すること、
をさらに行わせる、請求項２２に記載の非一時的コンピュータ可読媒体。
【請求項２６】
前記命令が、実行されたとき、前記装置の前記プロセッサに、
前記ヌルデータパケットを送信した後に、ショートフレーム間スペース（ＳＩＦＳ）内で前記チャネルフィードバック情報を受信することをさらに行わせ、ここにおいて、前記第１のメッセージの前記第２の部分は、１つまたは複数のワイヤレス通信デバイスが前記チャネルフィードバック情報を直ちに送信すべきであるというインジケーションをさらに備える、
請求項２５に記載の非一時的コンピュータ可読媒体。
【手続補正２】
【補正対象書類名】明細書
【補正対象項目名】０１２５
【補正方法】変更
【補正の内容】
【０１２５】
[00146]上記は本開示の態様を対象とするが、本開示の他の態様およびさらなる態様は、それの基本的範囲から逸脱することなく考案され得、それの範囲は以下の特許請求の範囲によって決定される。
以下に本願の出願当初の特許請求の範囲に記載された発明を付記する。
[Ｃ１]  ワイヤレスネットワークにおける通信の方法であって、前記方法は、
第１のフォーマットまたは第２のフォーマットに従って、第１のメッセージの第１の部分を送信することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を送信することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
を備える、方法。
[Ｃ２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ１に記載の方法。
[Ｃ３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ１に記載の方法。
[Ｃ４]  前記チャネルフィードバック情報を決定するために使用可能であるヌルデータパケットを送信すること、
をさらに備える、Ｃ１に記載の方法。
[Ｃ５]  前記ヌルデータパケットを送信した後に、ショートフレーム間スペース（ＳＩＦＳ）内で前記チャネルフィードバック情報を受信することをさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ４に記載の方法。
[Ｃ６]  トリガフレームの一部として、１つまたは複数のワイヤレス通信デバイスの各々についてのトーンまたはサブバンド割振り情報を送信すること、
をさらに備える、Ｃ４に記載の方法。
[Ｃ７]  前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、Ｃ６に記載の方法。
[Ｃ８]  前記第１のフォーマットは、高効率（ＨＥ）フォーマットを備え、前記第２のフォーマットは超高スループット（ＶＨＴ）フォーマットを備える、Ｃ１に記載の方法。
[Ｃ９]  前記第１のフォーマットに適合するワイヤレス通信デバイスの前記第１のセットのためのチャネルフィードバック推定のための第１のパラメータは、前記第２のフォーマットに適合するワイヤレス通信デバイスの前記第２のセットのためのチャネルフィードバック推定のための第２のパラメータの後に送信される、Ｃ８に記載の方法。
[Ｃ１０]  ワイヤレス通信デバイスの前記第１のセットのための識別子は、ワイヤレス通信デバイスの前記第２のセットが前記識別子は無効であると決定するように、改変される、Ｃ８に記載の方法。
[Ｃ１１]  ワイヤレスネットワークにおける通信のための装置であって、前記装置は、
第１のフォーマットまたは第２のフォーマットに従って、第１のメッセージの第１の部分を生成することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
を行うように構成されたプロセッサと、
前記第１のメッセージを送信するように構成された送信機と、
を備える、装置。
[Ｃ１２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ１１に記載の装置。
[Ｃ１３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ１１に記載の装置。
[Ｃ１４]  前記送信機は、前記チャネルフィードバック情報を決定するために使用可能であるヌルデータパケットを送信するようにさらに構成された、Ｃ１１に記載の装置。
[Ｃ１５]  前記ヌルデータパケットを送信した後に、ショートフレーム間スペース（ＳＩＦＳ）内で前記チャネルフィードバック情報を受信するように構成された受信機をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ１４に記載の装置。
[Ｃ１６]  前記送信機は、トリガフレームの一部として、１つまたは複数のワイヤレス通信デバイスの各々についてのトーンまたはサブバンド割振り情報を送信するようにさらに構成された、Ｃ１４に記載の装置。
[Ｃ１７]  前記トーンまたはサブバンド割振り情報は、
前記１つまたは複数のワイヤレス通信デバイスの各々についての割振り識別子（ＡＩＤ）のインジケーション、
前記チャネルフィードバック情報が、シングルユーザアップリンクパケット中で送信されるべきであるのかマルチユーザアップリンクパケット中で送信されるべきであるのかのインジケーション、
高効率（ＨＥ）フィードバックが要求されるのか超高スループット（ＶＨＴ）フィードバックが要求されるのかのインジケーション、および
前記第１のメッセージに一致するダイアログトークン、
のうちの１つまたは複数を備える、Ｃ１６に記載の装置。
[Ｃ１８]  前記第１のフォーマットは、高効率（ＨＥ）フォーマットを備え、前記第２のフォーマットは超高スループット（ＶＨＴ）フォーマットを備える、Ｃ１１に記載の装置。
[Ｃ１９]  前記第１のフォーマットに適合するワイヤレス通信デバイスの前記第１のセットのためのチャネル状態情報推定のための第１のパラメータは、前記第２のフォーマットに適合するワイヤレス通信デバイスの前記第２のセットのためのチャネル状態情報推定のための第２のパラメータの後に送信される、Ｃ１８に記載の装置。
[Ｃ２０]  ワイヤレス通信デバイスの前記第１のセットのための識別子は、ワイヤレス通信デバイスの前記第２のセットが前記識別子は無効であると決定するように、改変される、Ｃ１８に記載の装置。
[Ｃ２１]  ワイヤレスネットワークにおける通信のための装置であって、前記装置は、
第１のフォーマットまたは第２のフォーマットに従って、第１のメッセージの第１の部分を生成するための手段と、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成するための手段と、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
前記第１のメッセージを送信するための手段と、
を備える、装置。
[Ｃ２２]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ２１に記載の装置。
[Ｃ２３]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ２１に記載の装置。
[Ｃ２４]  前記チャネルフィードバック情報を決定するために使用可能であるヌルデータパケットを送信するための手段、
をさらに備える、Ｃ２１に記載の装置。
[Ｃ２５]  前記ヌルデータパケットを送信した後に、ショートフレーム間スペース（ＳＩＦＳ）内で前記チャネルフィードバック情報を受信するための手段をさらに備え、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ２４に記載の装置。
[Ｃ２６]  実行されたとき、装置のプロセッサに、
第１のフォーマットまたは第２のフォーマットに従って、第１のメッセージの第１の部分を生成することと、前記第１のメッセージの前記第１の部分は、前記第１のフォーマットに適合するワイヤレス通信デバイスの第１のセット、または前記第２のフォーマットに適合するワイヤレス通信デバイスの第２のセットを対象とする第１の情報を含んでおり、前記第１のメッセージは、ワイヤレス通信媒体のチャネルフィードバック情報が要求されることを告知し、
前記第２のフォーマットに従って、前記第１のメッセージの第２の部分を生成することと、前記第１のメッセージの前記第２の部分は、前記第２のフォーマットに適合するワイヤレス通信デバイスの前記第２のセットを対象とする第２の情報を含んでおり、前記第１のメッセージの前記第２の部分は、前記チャネルフィードバック情報が要求されるトーンまたは空間ストリームの数のインジケーションを備え、
前記第１のメッセージを送信することと、
を行わせる命令を記憶した非一時的コンピュータ可読媒体。
[Ｃ２７]  前記第１のメッセージの前記第２の部分は、
前記チャネルフィードバック情報が、シングルユーザアップリンクパケット中で送信されるべきであるのかマルチユーザアップリンクパケット中で送信されるべきであるのかのインジケーション、および
前記チャネルフィードバック情報が、チャネル状態情報を備えるのかチャネル品質情報を備えるのかのインジケーション、
のうちの１つまたは複数をさらに備える、Ｃ２６に記載の非一時的コンピュータ可読媒体。
[Ｃ２８]  前記第１のメッセージの前記第２の部分は、
前記チャネルフィードバック情報が計算されるべきである、前記ワイヤレス通信媒体の一部分のインジケーション、および
チャネルフィードバック情報が送信されるべきである、前記ワイヤレス通信媒体のサブ部分のインジケーション、
のうちの１つまたは複数をさらに備える、Ｃ２６に記載の非一時的コンピュータ可読媒体。
[Ｃ２９]  前記命令が、実行されたとき、前記装置の前記プロセッサに、
前記チャネルフィードバック情報を決定するために使用可能であるヌルデータパケットを送信すること、
をさらに行わせる、Ｃ２６に記載の非一時的コンピュータ可読媒体。
[Ｃ３０]  前記命令が、実行されたとき、前記装置の前記プロセッサに、
前記ヌルデータパケットを送信した後に、ショートフレーム間スペース（ＳＩＦＳ）内で前記チャネルフィードバック情報を受信することをさらに行わせ、ここにおいて、前記第１のメッセージの前記第２の部分は、１つまたは複数のワイヤレス通信デバイスが前記チャネルフィードバック情報を直ちに送信すべきであるというインジケーションをさらに備える、
Ｃ２９に記載の非一時的コンピュータ可読媒体。